(57)【要約】【課題】見開きで読み取った画像であっても、片側のページの表示又は印刷が可能な画像処理装置を提供する。【解決手段】入出力ユニット２と連携して印刷対象の画像の指定が可能な入出力処理部１１と、スキャナユニット３を介した原画像の読取りと原画像を複数の分割画像に分割することとが可能な原画像取得分割処理部１２と、分割画像の分割範囲をユーザに変更可能とする画像分割範囲変更処理部１３と、原画像と各分割画像との印刷用のデータを作成して印刷ユニット５に出力可能な印刷処理部１４と、を備え、原画像と各分割画像を保存可能な記憶部４とアクセス可能に接続された構成を有している。【選択図】図１
2010114788.tif 000002
【特許請求の範囲】
【請求項１】
外部の読取装置を介した原画像の読取りと前記原画像を複数の分割画像に分割することとが可能な原画像取得分割処理部と、
前記原画像と各前記分割画像を保存可能な記憶部と、
前記原画像と各前記分割画像との印刷用のデータを作成して外部の印刷装置に出力可能な印刷処理部と、
印刷対象の画像の指定が可能な入出力処理部と、を備えることを特徴とする画像処理装置。
【請求項２】
前記分割画像の分割範囲をユーザに変更可能とする画像分割範囲変更処理部を備える、ことを特徴とする請求項１に記載の画像処理装置。
【請求項３】
前記画像分割範囲変更処理部が、少なくとも前記分割画像に対して印刷仕様を特定する印刷設定を設定可能となっている、ことを特徴とする請求項１又は請求項２に記載の画像処理装置。
【請求項４】
前記原画像取得分割処理部が、少なくとも前記分割画像に、ページ順又はその逆に表示可能にする情報を対応付けて管理する、ことを特徴とする請求項１乃至請求項３のいずれか一項に記載の画像処理装置。
【発明の詳細な説明】
【技術分野】
【０００１】
本発明は、画像の読み取り、読み取った画像の印刷等の所定の画像処理を行う画像処理装置及びシステムに関する。
【背景技術】
【０００２】
従来、スキャナを介して一括で読み取り、得られた複数書類の画像データを書類単位で処理するシステムが知られている（例えば、特許文献１参照。）。特許文献１記載のシステムでは、読み込まれた複数書類の画像データが、書類単位で対応するレイアウトに変換されてから印刷される。ここで、異なる書類の検出は、異なる書類間に事前に挟まれた仕切り用紙を介して行われる。また、画像データは書類毎等で階層的に管理され、各種設定項目も対応して階層的に設定される。
【０００３】
このような構成によって、書類毎等の部分的な印刷も、画像データ全体の統一した印刷も可能となっている。また、編集機能に関しては、設定値の変更だけでなく、ページ単位や書類等の部分木単位等の移動及びコピー＆ペーストが可能となっている。さらに、表示機能に関しては、印刷装置のディスプレイ上での拡大縮小表示、及び部分木単位等で縮小画像の一覧表示が可能である。
【特許文献１】特開２００６−１６５８６３号公報
【発明の開示】
【発明が解決しようとする課題】
【０００４】
しかしながら、従来の画像処理システムでは、所定の場合には望む拡大印刷をできないという問題を有していた。例えば、見開きでＡ３サイズとなる本をＡ４サイズからＡ３サイズに拡大印刷する場合、Ａ２サイズの印刷が必要となる。Ａ２サイズの印刷は、普及している一般のプリンタ、コピー機等では通常実現できない。そのため、このような拡大印刷を行う場合、ページ毎のスキャン等、画像の読み取りに要する労力負担は通常倍になってしまう。
【０００５】
仮に特許文献１に記載の技術を用いて本を見開きで読み取ったとしても、この技術では、読み取られた画像の片側を拡大して印刷することはできない。また、ページ全体を拡大表示してディスプレイ上で見ようとしても、ディスプレイの表示領域が限られているため、見ることはできない。そして、残りのページを表示させる場合にも、画像を移動させつつ該当部分を捜す操作等の付加的な労力負担が生ずる。
【０００６】
以上の現状に鑑み、本発明の目的は、見開きで読み取った画像であっても、片側のページの表示又は印刷が可能な画像処理装置を提供する。
【課題を解決するための手段】
【０００７】
上記の課題を解決すべく、本発明は以下の構成を提供する。
請求項１に係る発明は、外部の読取装置を介した原画像の読取りと前記原画像を複数の分割画像に分割することとが可能な原画像取得分割処理部と、前記原画像と各前記分割画像を保存可能な記憶部と、前記原画像と各前記分割画像との印刷用のデータを作成して外部の印刷装置に出力可能な印刷処理部と、印刷対象の画像の指定が可能な入出力処理部と、を備えることを特徴とする。
【０００８】
請求項２に係る発明は、請求項１に記載の画像処理装置において、前記分割画像の分割範囲をユーザに変更可能とする画像分割範囲変更処理部を備える、ことを特徴とする。
【０００９】
請求項３に係る発明は、請求項１又は請求項２に記載の画像処理装置において、前記画像分割範囲変更処理部が、少なくとも前記分割画像に対して印刷仕様を特定する印刷設定を設定可能となっている、ことを特徴とする。
【００１０】
請求項４に係る発明は、請求項１乃至請求項３のいずれか一項に記載の画像処理装置において、前記原画像取得分割処理部が、少なくとも前記分割画像に、ページ順又はその逆に表示可能にする情報を対応付けて管理する、ことを特徴とする。
【発明の効果】
【００１１】
請求項１に係る発明によれば、外部の読取装置を介した原画像の読取りと原画像を複数の分割画像に分割することとが可能な原画像取得分割処理部と、原画像と各分割画像を保存可能な記憶部と、原画像と各分割画像との印刷用のデータを作成して外部の印刷装置に出力可能な印刷処理部と、印刷対象の画像の指定が可能な入出力処理部と、を備えるため、見開きで読み取った画像であっても、片側のページの表示又は印刷が可能な画像処理装置を実現することができる。
【００１２】
請求項２に係る発明によれば、上記請求項１の効果に加えて、分割画像の分割範囲をユーザに変更可能とする画像分割範囲変更処理部を備えるため、より適切な画像範囲に変更することができる。
【００１３】
請求項３に係る発明によれば、上記請求項１又は請求項２の効果に加えて、画像分割範囲変更処理部が、少なくとも分割画像に対して印刷仕様を特定する印刷設定を設定可能となっているため、より適切な印刷仕様を設定することができる。
【００１４】
請求項４に係る発明によれば、上記請求項１乃至請求項３のいずれか一項の効果に加えて、原画像取得分割処理部が、少なくとも分割画像に、ページ順又はその逆に表示可能にする情報を対応付けて管理するため、閲覧するページ順等に表示することができる。
【発明を実施するための最良の形態】
【００１５】
以下、実施例を示した図面を参照しつつ本発明の実施の形態について説明する。
図１は、本発明による画像処理システムの一実施例を模式的に示すブロック構成図である。画像処理システムは、図１に示すように、画像分割提供ユニット１、タッチパネル等の入出力ユニット２、スキャナユニット３、記憶ユニット４、及び、プリンタ等の印刷ユニット５を備える。
【００１６】
画像分割提供ユニット１は、入出力処理部１１、原画像取得分割処理部１２、画像分割範囲変更処理部１３、及び印刷処理部１４を有する。ここで、入出力処理部１１は、入出力ユニット２からの操作入力を処理し、入出力ユニット２に表示させる画像を作成して出力することが可能となっている。原画像取得分割処理部１２は、スキャナユニット３を制御してスキャン画像の取得等が可能となっている。印刷処理部１４は、印刷ユニット５に印刷させる画像を作成して出力可能となっている。
【００１７】
なお、原画像取得分割処理部１２は、原画像の一括読取りのための処理も可能である。原画像取得分割処理部１２は、また、一括読取りで得られた画像データ（以下、一括読取り画像という。）の各ページ、所定の部分等を分割画像に分割可能となっている。原画像の分割技術に関しては既知であるため、その詳細については説明を省略する。
【００１８】
画像分割範囲変更処理部１３は、ＧＵＩ（Graphical
User Interface）等のユーザインターフェイスを作成して表示し、ユーザに分割画像の分割範囲を変更可能とする。なお、画像分割提供ユニット１は、ＣＰＵ（Central Processing Unit）、メモリ、ＯＳ（Operating System）、プログラム等を組み合わせて同様の機能を実現可能に構成されるのでもよい。
【００１９】
記憶ユニット４は、分割画像への分割に関する情報が設定された画像管理テーブルＴ１と個々の分割画像に関する情報が設定された画像テーブルＴ２とを記憶する。図２は、画像管理テーブルＴ１と画像テーブルＴ２の構成の一実施例を示す説明図である。画像管理テーブルＴ１には、一括読取り画像と分割画像との管理情報が設定される。
【００２０】
具体的には、画像管理テーブルＴ１には、文書ＩＤ（Ｔ１１）、スキャン番号（Ｔ１２）、枝番（Ｔ１３）、スキャン画像ＩＤ（Ｔ１４）、分割画像ＩＤ（Ｔ１５）、分割開始位置（Ｔ１６）及び印刷設定（Ｔ１７）についてデータが設定される。ここで、文書ＩＤ（Ｔ１１）には一括読取り画像を１つの文書として特定可能とする通番等の情報が設定され、スキャン番号（Ｔ１２）にはスキャン順を特定可能な情報が設定される。また、同一のスキャン画像から得られた複数の分割画像は、重複した領域を含んでいてもよい。
【００２１】
枝番（Ｔ１３）には、一括読取り画像の構成をツリー構造で表したときの枝の番号を特定可能とする情報が設定される。これによって、複数種類の書面の読取画像データが一括読取り画像中に含まれる場合でも、書面毎に一括して管理可能となる。スキャン画像ＩＤ（Ｔ１４）には、対応するスキャン画像が設定された画像テーブルＴ２を特定可能なＩＤが設定される。スキャン画像ＩＤ（Ｔ１４）は、例えば、スキャン順に設定されるのでもよい。分割画像ＩＤ（Ｔ１５）には、同様に、対応する分割画像が設定された画像テーブルＴ２を特定可能なＩＤが設定される。
【００２２】
分割開始位置（Ｔ１６）には、分割位置を特定可能な情報が設定される。例えば、Ａ４サイズの画像をＡ５サイズにする２等分の場合、第２の分割画像の左上隅等が分割開始位置（Ｔ１６）に設定される。ここで、第２の分割画像は、縦長のスキャン画像については下側の分割画像が該当し、横長の画像については右側の分割画像が該当し、残りが第１の分割画像である。
【００２３】
これに応じて、画像の座標は、スキャン画像に対して、右方向にＸ軸が向き下方向にＹ軸が向き、画像の左上隅が原点となるように設定されている。ただし、分割開始位置（Ｔ１６）は、書類に応じて左下隅、右上隅、右下隅等の位置に設定可能となっているのでもよい。この場合、分割開始位置（Ｔ１６）に応じて、第１の分割画像と第２の分割画像とが入れ替え可能となっているのでもよい。
【００２４】
印刷設定（Ｔ１７）には、印刷仕様を特定する印刷設定が設定される。少なくとも分割画像には、印刷設定（Ｔ１７）が設定可能となっている。印刷設定（Ｔ１７）には、具体的には、Ａ４、Ａ３等の用紙サイズ、白黒／カラー印刷、倍率、片面／両面印刷等の印刷仕様を特定する情報が設定可能となっている。なお、印刷設定（Ｔ１７）に、入出力ユニット２への表示の除外、印刷ユニット５への印刷の除外等が設定可能となっていてもよい。印刷設定（Ｔ１７）の構成は、プリンタ、ＯＳ等に依存する。
【００２５】
画像テーブルＴ２には、画像ＩＤ（Ｔ１４、Ｔ１５）等の画像を一意に識別可能な画像ＩＤ（Ｔ２１）毎に、画像ヘッダ（Ｔ２２）、画像データ（Ｔ２３）が設定されている。もって、画像管理テーブルＴ１中の画像ＩＤ（Ｔ１４、Ｔ１５）を介して、対応する画像テーブルＴ２中の画像データ等が検索可能となっている。
【００２６】
図３は、画像テーブルＴ２の画像ヘッダと画像データの構成の一例を示す説明図である。画像ヘッダ（Ｔ２２）には、幅（Ｔ３１）、高さ（Ｔ３２）、画素値形式ＩＤ（Ｔ３３）等についてデータが設定可能となっている。ここで、幅（Ｔ３１）には管理する画像の幅方向の画素数が設定され、高さ（Ｔ３２）には高さ方向の画素数画設定される。
【００２７】
画素値形式ＩＤ（Ｔ３３）には、画素値の表現形式を特定するＩＤが設定される。具体的には、ディスプレイ等での加法混色におけるＲＧＢ、印刷等での減法混色におけるＣＭＹ（Cyan  Magenta  Yellow）、その他の可視化方法、各色のレベル数等を特定可能なデータが設定される。画素値形式ＩＤ（Ｔ３３）には、予めデフォルト値が設定されているのでもよい。
【００２８】
ＲＧＢとＣＭＹとの間で実質的に変換可能であるため、以下では、ＲＧＢについてレベル数が設定されるものとして説明する。因みに、画素値形式ＩＤ（Ｔ３３）から画素当りの割当情報量（バイト数）が決定できるため、画像ヘッダ（Ｔ２２）に基づいて、画像データ（Ｔ２３）のデータサイズが算出可能となる。
【００２９】
画像データ（Ｔ２３）には、図３（ｂ）に示すように、画素の座標毎に対応する画素値（Ｐ１）が、画像ヘッダ（Ｔ２２）で指定された幅と高さの分だけ設定される。画素値（Ｐ１）は、図３（ｃ）に示すように、各色に対して設定されている。
【００３０】
図４は、画像作成印刷処理について説明するフローチャートである。画像作成印刷処理においては、まず、入出力処理部１１が、希望の処理を選択可能にする処理指定インターフェイスを入出力ユニット２に表示する（Ｓ１０１）。
【００３１】
図５は、ユーザインターフェイスの実施例を示す説明図であり、（ａ）は処理指定インターフェイスを示し、（ｂ）は範囲入力インターフェイスを示す。処理指定インターフェイスには、図５に示すように、スキャン、保存データ、範囲変更、印刷等の選択ボタンが表示されている。ここで、スキャンと保存データは処理画像の入力方法を指定し、範囲変更は分割画像の分割範囲の変更を指定するためのものである。
【００３２】
処理指定インターフェイスには、また、設定完了入力用の確認ボタン及び処理終了入力用の終了ボタンが表示されている。さらに、文書ＩＤ等の所定の情報の入力を可能とするフィールドが表示されている。このような構成によって、保存データが指定された場合、文書ＩＤ等のデータを介して記憶ユニット４に保存されている画像データが選択可能となる。ただし、上記のフィールドに代えて又は付加して、記憶ユニット４内の保存データが選択可能に表示される構成であってもよい。
【００３３】
次に、入出力処理部１１は、ユーザ操作に応じて、指定されたものがスキャンであるか否かを判断する（Ｓ１０２）。ステップＳ１０２でスキャンであると判断されたとき、原画像取得分割処理部１２は、スキャン分割処理を行う（Ｓ１１０）。スキャン分割処理では、一括読取り、必要に応じて分割画像の作成、画像管理テーブルＴ１と画像テーブルＴ２の作成、テーブルＴ１、Ｔ２の記憶ユニット４への格納等の所定の処理が行われる。
【００３４】
スキャン分割処理が終了したとき、入出力処理部１１が、ステップＳ１０１で表示した処理指定インターフェイスを表示する（Ｓ１２１）。次に、入出力処理部１１は、ユーザ操作に応じて、指定されたものが終了であるか否かを判断し（Ｓ１２２）、終了が選択されたとき、処理は終了する。ステップＳ１２２で指定されたものが終了でないと判断されたとき、処理はステップＳ１２３に跳ぶ。
【００３５】
次に、入出力処理部１１は、ステップＳ１２１で指定されたものが範囲変更であるか否かを判断する（Ｓ１２３）。ステップＳ１２３で範囲変更が指定されたと判断されたとき、画像分割範囲変更処理部１３が、画像の分割範囲の変更を可能とする画像分割範囲変更処理を行う（Ｓ１３０）。画像分割範囲変更処理では、例えばユーザインターフェイスを介して分割画像、分割枠等が表示され分割範囲の変更が可能となり、変更された分割画像が記憶ユニット４に保存される。
【００３６】
画像分割範囲変更処理が終了したとき、処理はステップＳ１２１に戻り、入出力処理部１１が処理指定インターフェイスを表示して更なる処理の指定を可能とする。印刷前の画像作成及び分割範囲の変更が全て終了したとき、通常、印刷がステップＳ１２１で指定される。ただし、画像が保存されているため、終了が選択されるのでもよい。
【００３７】
ステップＳ１２１で印刷が指定されたとき、印刷処理が行われ（Ｓ１４０）、処理は終了する。印刷処理では、まず、入出力処理部１１が、ユーザインターフェイスを表示して印刷対象画像の指定を可能にする。次に、印刷処理部１４が、指定された画像の印刷用データを作成して印刷ユニット５に出力し、印刷させる。
【００３８】
図６は、スキャン分割処理について説明するフローチャートである。以下では、画像が画素数の多い方の辺に関して２つ折り状に分割される場合を例にとり説明する。ここで、２つ折りは標準の分割であり、分割領域の変更又は分割と変更の繰り返しによって所定の大きさの矩形画像を得ることが可能であることを指摘しておく。
【００３９】
スキャン分割処理では、原画像取得分割処理部１２が、まず文書ＩＤ（Ｔ１１）を設定し（Ｓ１１１）、スキャンのカウンタｋｐを１に初期化する（Ｓ１１２）。次に、原画像取得分割処理部１２が、スキャナユニット３を制御してスキャン画像を取得し、各テーブルＴ１、Ｔ２に対応するデータを設定して記憶ユニット４に格納する（Ｓ１１３）。
【００４０】
ステップＳ１１３では、例えば文書ＩＤ（Ｔ１１）、スキャン番号（Ｔ１２）、スキャン画像ＩＤ（Ｔ１４）等が画像管理テーブルＴ１に、スキャンして得られた画像についてのデータが画像テーブルＴ２に、それぞれ設定される。ここで、スキャン番号（Ｔ１２）にはスキャンのカウンタｋｐが設定され、スキャン画像ＩＤ（Ｔ１４）には例えば上記の文書ＩＤ（Ｔ１１）とカウンタｋｐとが組み合わされたものが設定される。
【００４１】
画像テーブルＴ２には、スキャン画像ＩＤ（Ｔ１４）が画像ＩＤ（Ｔ２１）に、以下のデータが画像ヘッダ（Ｔ２２）に、スキャン画像が画像データ（Ｔ２３）に、それぞれ設定される。画像ヘッダ（Ｔ２２）には、スキャン画像の幅方向の画素数Ｗが幅（Ｔ３１）に、高さ方向の画素数Ｈが高さ（Ｔ３２）にそれぞれ設定される。以下、幅方向の画素数を単に幅といい、高さ方向の画素数を単に高さという。
【００４２】
次に、画像管理テーブルＴ１の分割画像に対するデータの設定が以下のように行われる。まず、原画像取得分割処理部１２が、スキャン画像の高さＨが幅Ｗより長いか否かを判断し（Ｓ１１４）、長い方を決定する。既に説明したように、ここでは２つ折りが対象とされ、第２の分割画像の左上隅の画素座標が分割開始位置（Ｔ１６）である。
【００４３】
まず、ステップＳ１１４で縦長と判断されたとき、原画像取得分割処理部１２が、縦長スキャン画像設定を行う（Ｓ１１５）。縦長スキャン画像設定では、分割画像の高さＨ２にはＨ／２が、幅Ｗ２にはＷがそれぞれ設定される。また、分割開始位置（Ｔ１６）のＸ座標には０が、Ｙ座標にはＨ２＋１がそれぞれ設定される。
【００４４】
次に、ステップＳ１１４で横長と判断されたとき、原画像取得分割処理部１２が、横長スキャン画像設定を行う（Ｓ１１６）。横長スキャン画像設定では、分割画像の高さＨ２にはＨが、幅Ｗ２にはＷ／２がそれぞれ設定される。また、分割開始位置（Ｔ１６）のＸ座標にはＷ２＋１が、Ｙ座標には０がそれぞれ設定される。
【００４５】
次に、原画像取得分割処理部１２が、各分割画像の枝番（Ｔ１３）と分割画像ＩＤ（Ｔ１５）を作成して各テーブルＴ１、Ｔ２の関連部分に設定する（Ｓ１１７）。ここで、第１の分割画像と第２の分割画像の枝番（Ｔ１３）には、それぞれ０と１が設定される。また、分割画像ＩＤ（Ｔ１５）には、例えばスキャン画像ＩＤ（Ｔ１４）と枝番（Ｔ１３）とを組み合わせたものが設定される。なお、残りの印刷設定（Ｔ１７）には、デフォルト値が設定されているものとする。
【００４６】
次に、原画像取得分割処理部１２が、各分割画像ＩＤ（Ｔ１５）の分割画像を作成し、それぞれを別個の画像テーブルＴ２に設定する（Ｓ１１８）。画像テーブルＴ２への設定は、まず分割画像ＩＤ（Ｔ１５）が画像ＩＤ（Ｔ２１）に設定される。画像ヘッダ（Ｔ２２）と画像データ（Ｔ２３）に関しては、スキャン画像の場合と同様に設定される。例えば、画素数Ｗ２は幅（Ｔ３１）に、高さ方向の画素数Ｈ２は高さ（Ｔ３２）にそれぞれ設定される。
【００４７】
次に、原画像取得分割処理部１２が、スキャナユニット３からの情報に基づいて、全てのスキャン即ち読取りが完了したか否かを判断し（Ｓ１１９）、完了したと判断したとき、スキャン分割処理は終了する。ステップＳ１１９で全ての読取りが完了していないと判断されたとき、原画像取得分割処理部１２が、カウンタｋｐを１増加させ（Ｓ１２０）、ステップＳ１１３以降のステップでの処理を繰り返す。
【００４８】
図７は、画像分割範囲変更処理について説明するフローチャートである。画像分割範囲変更処理においては、まず、画像分割範囲変更処理部１３が、範囲入力インターフェイスを表示して変更範囲の入力を要求して取得し、合計ページ数Ｎを算出する（Ｓ１３１）。範囲入力インターフェイスとしては、例えば図５（ｂ）に示すものが使用可能であり、変更の開始と終了のページが、それぞれ例えば本を開いた場合の１０ページ目と１８ページ目として指定される。以下、ユーザインターフェイスを介した開始と終了のページの指定に関しては、同様に行うものとする。
【００４９】
次に、画像分割範囲変更処理部１３が、変更の開始と終了のページをそれぞれ対応するスキャン画像ＩＤ（Ｔ１４）と枝番（Ｔ１３）に変換する（Ｓ１３２）。これによって、（Ｔ１４、Ｔ１３）に対応して、開始のページが（Ｆｐ、Ｆｂ）に、終了のページが（Ｌｐ、Ｌｂ）に、それぞれ変換されるものとする。
【００５０】
次に、画像分割範囲変更処理部１３が、スキャン画像ＩＤ（Ｔ１４）のカウンタｉをＦｐに、枝番（Ｔ１３）のカウンタｊをＦｂに、ページのカウンタｎを１に、それぞれ設定する（Ｓ１３３）。次に、画像分割範囲変更処理部１３が、対象の分割画像を分割枠と共にユーザインターフェイスに表示して変更の入力を要求し、分割範囲変更の入力に応じて分割開始位置（Ｔ１６）、幅（Ｔ３１）、高さ（Ｔ３２）を更新し、更新された分割範囲に基づきスキャン画像から画像データを切り出し、画像データ部（Ｔ２３）を更新する。ここでの分割範囲変更は例えば分割枠のドラッグなどで行えるインターフェイスを用意しておくものとする（Ｓ１３４）。ここで、処理対象の分割画像は、カウンタｉ即ちスキャン画像ＩＤ（Ｔ１４）、及びカウンタｊ即ち枝番（Ｔ１３）で指定されるものである。
【００５１】
次に、画像分割範囲変更処理部１３が、ユーザインターフェイスを介して印刷設定（Ｔ１７）のデフォルト値を表示して変更の入力を要求し、入力に応じて印刷設定（Ｔ１７）を更新する（Ｓ１３５）。
【００５２】
次に、画像分割範囲変更処理部１３が、枝番（Ｔ１３）のカウンタｊとページのカウンタｎとを、それぞれ１増加させる（Ｓ１３６）。次に、画像分割範囲変更処理部１３が、ページのカウンタｎが合計ページ数Ｎ以下であるか否かを判断し（Ｓ１３７）、Ｎを超えていると判断したとき、画像分割範囲変更処理は終了する。ステップＳ１３７でページのカウンタｎがＮ以下であると判断されたとき、画像分割範囲変更処理部１３が、枝番（Ｔ１３）のカウンタｊが２以上であるか否かを判断する（Ｓ１３８）。
【００５３】
ステップＳ１３８で枝番（Ｔ１３）のカウンタｊが２未満であると判断されたとき、処理はステップＳ１３４に戻り、画像分割範囲変更処理部１３が、以降のステップでの処理を繰り返す。ステップＳ１３８で枝番（Ｔ１３）のカウンタｊが２以上であると判断されたとき、画像分割範囲変更処理部１３が、スキャン画像ＩＤ（Ｔ１４）のカウンタｉを１増加させ、枝番（Ｔ１３）のカウンタｊを０に設定する（Ｓ１３９）。ステップＳ１３９でカウンタｉとカウンタｊが更新されたとき、処理はステップＳ１３４に戻り、画像分割範囲変更処理部１３が、以降のステップでの処理を繰り返す。
【００５４】
図８は、印刷処理について説明するフローチャートである。印刷処理においては、まず、印刷処理部１４が、範囲入力インターフェイスを表示して印刷範囲の入力を要求して取得し、合計ページ数Ｎを算出する（Ｓ１４１）。次に、印刷処理部１４が、ステップＳ１３２と同様に、変更の開始と終了のページをそれぞれ対応するスキャン画像ＩＤ（Ｔ１４）と枝番（Ｔ１３）に変換する（Ｓ１４２）。
【００５５】
次に、印刷処理部１４が、スキャン画像ＩＤ（Ｔ１４）のカウンタｉをＦｐに、枝番（Ｔ１３）のカウンタｊをＦｂに、ページのカウンタｎを１に、それぞれ設定する（Ｓ１４３）。次に、印刷処理部１４が、対象の画像の印刷用データを作成して印刷ユニット５に出力し印刷させる（Ｓ１４４）。ここで、印刷対象の画像は、カウンタｉ即ちスキャン画像ＩＤ（Ｔ１４）、及びカウンタｊ即ち枝番（Ｔ１３）で指定されるものである。
【００５６】
次に、印刷処理部１４が、枝番（Ｔ１３）のカウンタｊとページのカウンタｎとを、それぞれ１増加させる（Ｓ１４５）。次に、印刷処理部１４が、ページのカウンタｎが合計ページ数Ｎ以下であるか否かを判断する（Ｓ１４６）。ステップＳ１４６でページのカウンタｎがＮ以下であると判断されたとき、印刷処理部１４が、枝番（Ｔ１３）のカウンタｊが２以上であるか否かを判断する（Ｓ１４７）。
【００５７】
ステップＳ１４７で枝番（Ｔ１３）のカウンタｊが２未満であると判断されたとき、処理はステップＳ１４４に戻り、印刷処理部１４が、以降のステップでの処理を繰り返す。ステップＳ１４７で枝番（Ｔ１３）のカウンタｊが２以上であると判断されたとき、印刷処理部１４が、スキャン画像ＩＤ（Ｔ１４）のカウンタｉを１増加させ、枝番（Ｔ１３）のカウンタｊを０に設定する（Ｓ１４８）。ステップＳ１４８でカウンタｉとカウンタｊが更新されたとき、処理はステップＳ１４４に戻り、印刷処理部１４が、以降のステップで処理を繰り返す。
【００５８】
ステップＳ１４６でページのカウンタｎがＮを超えていると判断されたとき、印刷処理部１４が、ユーザインターフェイスを介して、印刷済みデータを削除するか否かの入力を要求する（Ｓ１４９）。次に、印刷処理部１４が、入力された情報に基づいて印刷済みデータを削除するか否かを判断し（Ｓ１５０）、削除しないと判断したとき、処理は終了する。ステップＳ１５０で削除すると判断されたとき、印刷処理部１４が、対象のデータを削除して（Ｓ１５１）、処理は終了する。
【００５９】
なお、画像分割提供ユニット１は、さらなる機能を有するように構成されるのでもよい。具体的には、記憶ユニット４に画像の保存データがない場合に、画像の取得のためにスキャンを開始するように構成されるのでもよい。また、詳細な情報が設定可能な処理指定インターフェイスが表示され、一連の処理が継続して可能となるのでもよい。さらに、その他の自動化の機能を有し、又は自動化を可能とするユーザインターフェイスが表示可能なように構成されるのでもよい。
【産業上の利用可能性】
【００６０】
本発明による画像処理システムは、事務機器、家庭用画像処理装置等として使用され、これらを製造する情報機器製造業、プログラム製造業、電子部品製造業等において利用可能であり、このような製品の有用性を増進する。
【図面の簡単な説明】
【００６１】
【図１】本発明による画像処理システムの一実施例を模式的に示すブロック構成図である。
【図２】画像管理テーブルＴ１と画像テーブルＴ２の構成の一実施例を示す説明図である。
【図３】画像テーブルＴ２の画像ヘッダと画像データの構成の一例を示す説明図である。
【図４】画像作成印刷処理について説明するフローチャートである。
【図５】ユーザインターフェイスの実施例を示す説明図であり、（ａ）は処理指定インターフェイスを示し、（ｂ）は範囲入力インターフェイスを示す。
【図６】スキャン分割処理について説明するフローチャートである。
【図７】画像分割範囲変更処理について説明するフローチャートである。
【図８】印刷処理について説明するフローチャートである。
【符号の説明】
【００６２】
１  画像分割提供ユニット
２  入出力ユニット
３  スキャナユニット
４  記憶ユニット
５  印刷ユニット
１１  入出力処理部
１２  原画像取得分割処理部
１３  画像分割範囲変更処理部
１４  印刷処理部
Ｐ１  画素値
Ｔ１  画像管理テーブル
Ｔ２  画像テーブル
Ｔ１１  文書ＩＤ
Ｔ１２  スキャン番号
Ｔ１３  枝番
Ｔ１４  スキャン画像ＩＤ
Ｔ１５  分割画像ＩＤ
Ｔ１６  分割開始位置
Ｔ１７  印刷設定
Ｔ２１  画像ＩＤ
Ｔ２２  画像ヘッダ
Ｔ２３  画像データ
Ｔ３１  幅
Ｔ３２  高さ
Ｔ３３  画素値形式ＩＤ
【図１】
2010114788.tif 000003
【図２】
2010114788.tif 000004
【図３】
2010114788.tif 000005
【図４】
2010114788.tif 000006
【図５】
2010114788.tif 000007
【図６】
2010114788.tif 000008
【図７】
2010114788.tif 000009
【図８】
2010114788.tif 000010